(57)【特許請求の範囲】
【請求項１】
支持対象物を支持する支持部を有する支持具本体と、棒材に取着可能な取着部とを備えた支持取着具であって、
前記取着部は、前記棒材に当接する当接部と、前記棒材に対して前記当接部と相反する方向から該当接部と共に棒材を挟持する挟持部とを備え、
前記当接部と挟持部とは、取着される棒材の軸方向において異なる位置に配置されるように形成され、
前記当接部は、棒材に取着した状態で、棒材と前記支持具本体との間に他の支持取着具の挟持部が入り込む空間を形成すべく前記支持具本体から突出して形成されていることを特徴とする支持取着具。
【請求項２】
狭持部に対して、支持部に支持対象物を支持した際に、その支持対象物の重量が作用する側に、当接部を設けたことを特徴とする請求項１記載の支持取着具。
【請求項３】
当接部と同じ側に同じだけ突出する補助当接部と、該当接部とを、挟持部を挟むように設けたことを特徴とする請求項１または２記載の支持取着具。
【請求項４】
挟持部は、取着される棒材の軸方向に、少なくとも棒材の直径より大きい間隔で離間して一対設けられていることを特徴とする請求項１から３のいずれか記載の支持取着具。
【請求項５】
当接部は一対の挟持部の間に設けられていることを特徴とする請求項４記載の支持取着具。
【請求項６】
一対の挟持部に一方が取着する棒材に対して、開口する方向と、他方が開口する方向が相互に反対であることを特徴とする請求項４または５記載の支持取着具。
【発明の詳細な説明】
【技術分野】
【０００１】
本発明は、建築物の天井や壁から伸び出しているボルト材、より一般的には棒材に取着される取着部と、配線・配管材などの支持対象物を支持する支持部を有する支持具本体とを備えた支持取着具に関する。
【背景技術】
【０００２】
コンクリート建築物の裏天井には、ボルト材が下方に伸び出すように設けられ、このボルト材に配線・配管材が支持取着具で配置支持され、このボルト材の更に下方には、各部屋の本天井を形成する天井材が取り付けられるようになっている。
【０００３】
このような二重天井内で用いられる支持取着具としては、特許文献１及び２に記載されたものがあり、図８（ａ）、（ｂ）は、それらの本発明の支持取着具の背景技術を示す斜視図である。
【０００４】
図８（ａ）の支持取着具２０は、特許文献１に記載されたものであり、複数段の庇状で支持対象物である長尺材Ｗ５を受ける支持部１１を備えた支持具本体１２と、棒材であるボルト材Ｂ５に軸方向の位置固定可能に取り着けられる取着部１５とを備え、上下に複数段で長尺材Ｗ５を支持することができる。
【０００５】
しかし、この支持取着具２０では、ボルト材Ｂ５の軸方向の同じ位置に更に支持取着具２０を増設したい、という要請に応えることができなかった。
【０００６】
図８（ｂ）の支持取着具３０、４０は、特許文献２に記載されたものであり、それぞれ支持部２１、３１、支持具本体２２、３２、及び、取着部２５、３５を備え、左右一対でボルト材Ｂ６の軸方向の同じ位置に取り着けできるものである。
【０００７】
しかし、これらの支持取着具３０、４０は、一方３０と他方４０とが異なるものであり、ボルト材Ｂ６の軸方向の同じ位置に支持取着具を増設しようとする場合は、別の種類のものを用意しなければならなかった。
【０００８】
【特許文献１】特開２００７−３２６５６号公報（図１）
【特許文献２】特開２００２−５３３９号公報（図１）
【発明の開示】
【発明が解決しようとする課題】
【０００９】
本発明は、上記の問題を解決しようとするものであり、同じものでありながら、棒材の軸方向の同じ位置に増設可能な支持取着具を提供することを目的とする。
【課題を解決するための手段】
【００１０】
請求項１記載の支持取着具は、支持対象物を支持する支持部を有する支持具本体と、棒材に取着可能な取着部とを備えた支持取着具であって、前記取着部は、前記棒材に当接する当接部と、前記棒材に対して前記当接部と相反する方向から該当接部と共に棒材を挟持する挟持部とを備え、
前記当接部と挟持部とは、取着される棒材の軸方向において異なる位置に配置されるように形成され、前記当接部は、棒材に取着した状態で、棒材と前記支持具本体との間に他の支持取着具の挟持部が入り込む空間を形成すべく前記支持具本体から突出して形成されていることを特徴とする。
【００１１】
請求項２記載の支持取着具は、請求項１に従属し、狭持部に対して、支持部に支持対象物を支持した際に、その支持対象物の重量が作用する側に、当接部を設けたことを特徴とする。
【００１２】
請求項３記載の支持取着具は、請求項１または２に従属し、当接部と同じ側に同じだけ突出する補助当接部と、該当接部とを、挟持部を挟むように設けたことを特徴とする。
【００１３】
請求項４記載の支持取着具は、請求項１から３のいずれかに従属し、挟持部は、取着される棒材の軸方向に、少なくとも棒材の直径より大きい間隔で離間して一対設けられていることを特徴とする。
【００１４】
請求項５記載の支持取着具は、請求項４に従属し、当接部は一対の挟持部の間に設けられていることを特徴とする。
【００１５】
請求項６記載の支持取着具は、請求項５に従属し、一対の挟持部に一方が取着する棒材に対して、開口する方向と、他方が開口する方向が相互に反対であることを特徴とする。
【発明の効果】
【００１６】
請求項１記載の支持取着具によれば、支持対象物を支持する支持部を有する支持具本体と、棒材に取着可能な取着部とを備えた支持取着具であって、前記取着部は、前記棒材に当接する当接部と、前記棒材に対して前記当接部と相反する方向から該当接部と共に棒材を挟持する挟持部とを備え、
前記当接部と挟持部とは、取着される棒材の軸方向において異なる位置に配置されるように形成され、前記当接部は、棒材に取着した状態で、棒材と前記支持具本体との間に他の支持取着具の挟持部が入り込む空間を形成すべく前記支持具本体から突出して形成されているので、棒材に既に取着された支持取着具の挟持部用空間に、同じ支持取着具の挟持部が入り込むことができて、同じものでありながら、棒材の軸方向の同じ位置に増設可能となる。
【００１７】
請求項２記載の支持取着具によれば、請求項１の効果に加え、狭持部に対して、支持部に支持対象物を支持した際に、その支持対象物の重量が作用する側に、当接部を設けたので、支持部で受けた支持対象物の荷重をしっかりと負担することができる。
【００１８】
請求項３記載の支持取着具によれば、請求項１または２の効果に加え、当接部と同じ側に同じだけ突出する補助当接部と、該当接部とを、挟持部を挟むように設けたので、支持部で受けた支持対象物の荷重をよりしっかりと負担することができる。
【００１９】
請求項４記載の支持取着具によれば、請求項１から３のいずれかの効果に加え、挟持部は、取着される棒材の軸方向に、少なくとも棒材の直径より大きい間隔で離間して一対設けられているので、棒材に対する支持取着具の取着方向の一致性を良くすることができる。
【００２０】
請求項５記載の支持取着具によれば、請求項４の効果に加え、当接部は一対の挟持部の間に設けられているので、棒材にひとつだけ支持取着具を取り着けた場合でも、支持取着具が棒材に対してガタつくことがない。
【００２１】
請求項６記載の支持取着具によれば、請求項４または５の効果に加え、一対の挟持部に一方が取着する棒材に対して、開口する方向と、他方が開口する方向が相互に反対であるので、支持取着具を棒材に対してひねり動作で取着でき、取着がしやすい。
【発明を実施するための最良の形態】
【００２２】
以下に、本発明の実施の形態について、図面を用いて説明する。
【実施形態１】
【００２３】
図１は、本発明の支持取着具の一例を示すもので、（ａ）はその上面図、（ｂ）はその正面図、（ｃ）はその側面図、（ｄ）はその裏面図、（ｅ）は（ａ）の挟持部拡大図、（ｆ）は（ｅ）のＡＡ矢視断面図である。
【００２４】
この支持取着具１０は、二重天井内のボルト材のような棒材に配線・配管材のような支持対象物を配置・支持させるのに用いられるもので、支持対象物を支持する支持部１を有する支持具本体２と、棒材に取着可能な取着部５とを備えたものである。
【００２５】
取着部５は、前記棒材に当接する当接部３と、前記棒材に対して当接部３と相反する方向から該当接部３と共に棒材を挟持する挟持部４とを備え、当接部３と挟持部４とは、取着される棒材の軸方向において異なる位置に配置されるように形成されている。
【００２６】
ここで、この支持取着具１０では、この当接部３が、棒材に取着した状態で、棒材と支持具本体２との間に他の支持取着具１０の挟持部４が入り込む空間（以下、「挟持部用空間Ｈ」という。）を形成すべく支持具本体２から突出して形成されていることを特徴とする。
【００２７】
支持部１は、上向きのＣ字状の支持受け部１ａと、この支持受け部１ｂの開口部分を、素材の弾性変形により開閉する支持フタ部１ｂとを備えている、これらの支持受け部１ａと支持フタ部１ｂとの基部が支持具本体２に一体化され、結合されている。
【００２８】
当接部３は、支持具本体２に対して支持部１とは反対側に設けられ、この支持取着具１０を取り着けるべき棒材に接触するもので、上述の挟持部用空間Ｈを形成するように、この例では、ボルト材である棒材Ｂ（図３参照）側に支持具本体２から突出し、また、この棒材Ｂの外周面に対応した弧状凹面３ａを備えている。
【００２９】
なお、当接部３と支持具本体２とは、とにかく、挟持部用空間Ｈを形成するような組み合わせになっておればよく、当接部の棒材に当接する部分を支持具本体の棒材当接部分として、逆に挟持部の支持具本体側が、他の挟持部が入り込むように凹んでいるとするような構成であってもよい。
【００３０】
また、当接部３を棒材Ｂから見た図１（ｃ）から解るように、突起部分である当接部３の図１（ｃ）の左上と右下部分は、弧状の面取り部３ｂとなっており、その分だけ挟持部用空間Ｈの面積が広くなっている。
【００３１】
挟持部４は、当接部３に接触した状態の棒材Ｂを抱き抱えるような形状で支持具本体２から突出形成されている。この例では、当接部３が上下方向の真ん中に有り、挟持部４はこの当接部３を挟むように上下一対で設けられ、その開口端４ａは、上下の挟持部４がそれぞれ相互に反対方向に開口するように設けられている。
【００３２】
これら上下一対の挟持部間の間隔Ｄ（図１（ｆ））は、取着される棒材Ｂの軸方向に、少なくとも棒材Ｂの直径より大きい間隔で離間している。このようにすると、後述もするように、棒材Ｂに対する支持取着具１０の方向の一致性を良くすることができる。
【００３３】
また、当接部３の弧状凹面３ａの表面と挟持部４の内表面との間の間隔Ｅ（図１（ｅ）参照）は、ここに取り着けられるべき棒材Ｂの外径より小さくなっており、その素材の弾性変形による弾性力によりしっかりと棒材Ｂを掴むことができる。
【００３４】
また、この支持取着具１０は、支持具本体２に対して当接部３と同じ側に同じだけ突出し、同じ弧状凹面６ａを有した補助当接部６を備え、この補助当接部６と当接部３とを、下の挟持部４を挟むように設けた点も特徴とする。この作用効果についても後述するが、このようにすると、支持部１で受けた支持対象物の荷重をよりしっかりと負担することができる。
【００３５】
更に、この支持取着具１０は、図１（ｅ）、（ｆ）に明示するように、挟持部４の棒材Ｂに当接する内面に、この例ではボルト材である棒材Ｂのネジ谷部分にはまり込むような線条突起７を上下の挟持部４の当接部３側端部分に設けている。この線条突起７はボルト材である棒材Ｂのネジ谷部分にはまり込んで、支持取着具１０が棒材Ｂの軸方向に移動しないようにしっかり位置決めするものである。
【００３６】
なお、支持取着具１０の素材は、成形性が良く、強度のある合成樹脂が良く、具体的には、ポリアセタールが良いが、これに限定されない。
【００３７】
図２は、本発明の支持取着具の他例を示すもので、（ａ）はその上面図、（ｂ）はその正面図、（ｃ）はその側面図、（ｄ）はその裏面図、（ｅ）は（ａ）の挟持部拡大図である。これより既に説明した部分と同じ部分には同じ符号を付して、重複説明を省略する。
【００３８】
この支持取着具１０Ａは、図１の支持取着具１０に比べ、支持部１Ａが、より小さい支持対象物を支持するためのより小型の支持受け部１ｃと支持フタ部１ｄとを備えている点が異なっているが、他の部分は共通する。
【００３９】
図３（ａ）〜（ｄ）は、図１の支持取着具の使用方法を順に示す斜視図、（ｅ）は（ｄ）のＢ矢視図、（ｆ）は（ｄ）の当接部横断面図である。
【００４０】
まず、本発明の支持取着具１０をボルト材である棒材Ｂに当接部３を接触させ、挟持部４の開口端４ａの当接部３側端がそれぞれ接触するような状態、図３（ａ）に示すように、棒材Ｂに対して傾けた状態で接触させる。
【００４１】
この状態で図３（ａ）で矢印Ｆで示した方向に力を加えると、支持取着具１０の上下の挟持部４は素材の弾性により弾性変形して、それぞれの内側に棒材Ｂを収容して、当接部３と協働し、支持取着具１０は、図３（ｂ）に示すように棒材Ｂにしっかりと位置決め固定される。
【００４２】
この状態で、挟持部４は、当接部３を挟んで、棒材Ｂの外径より大きい間隔Ｄで設けられているので、支持取着具１０の棒材への取り着け方向と、棒材Ｂの軸方向とを良く一致させることができる。
【００４３】
また、補助当接部６が支持部１で支持される支持対象物（この場合は、配線・配管材）Ｗの荷重を負担することができ、支持対象物Ｗの荷重負担をよりしっかりすることができ、また、支持対象物Ｗによる支持取着具１０の傾きあるいは倒れをより小さくすることができる。
【００４４】
また、仮に補助当接部６が無かったとしても、真ん中の当接部３に対して、上下一対の挟持部４で棒材Ｂを抱き込んでいるので、このように棒材Ｂに一つだけ、支持取着具１０を取り着けた場合でも、支持取着具１０が棒材Ｂに対してガタつくようなことがなく、しっかり取り着けられる。
【００４５】
ここで、この支持取着具１０は、当接部３が挟持部用空間Ｈを形成するように突出しているので、図３（ｃ）に示すように、同じ支持取着具１０を、棒材Ｂに対して、すでに取着された支持取着具１０と反対側から反対方向に傾けるようにして接触させ、先の方向Ｆとは逆方向Ｆ′ねじ込むようにすると、図３（ｄ）に示すように、棒材Ｂに対して軸方向の同じ位置に対向するように取り着けることができる。
【００４６】
図３（ｅ）を見ると、それぞれ相手方の挟持部用空間Ｈに挟持部４が嵌まり込んでいるのが解る。つまり、挟持部用空間Ｈを形成する当接部３とここに入り込む挟持部４との組み合わせで、この支持取着具１０は、棒材Ｂに対して同じ軸方向位置に一対で取り着け可能なのである。
【００４７】
図３（ｆ）を見ると、左右の支持取着具の当接部３が棒材Ｂにしっかりと接触しており、支持部１への荷重を棒材Ｂに当接することで、負担していることが解る。
【００４８】
こうして、この支持取着具１０によれば、同じものでありながら、棒材の軸方向の同じ位置に増設可能となる。
【００４９】
図４（ａ）、（ｂ）は、図１、２の支持取着具を組み合わせた使用方法を示す斜視図、（ｃ）は図１の支持取着具の他の使用方法を示す斜視図である。
【００５０】
本発明の支持取着具１０、１０Ａは、図４（ａ）、（ｂ）に示すように、取着部５を共通のものとすれば、支持部１、１Ａが異なるものであっても、同じ棒材Ｂの軸方向の同じ位置に取り着けることができる。
【００５１】
また、本発明の支持取着具１０は、図４（ｃ）に示すように、支持部１が荷重を下方向に受けるようにと、荷重を上方向に受けるようにとに棒材Ｂの軸方向の同じ位置に取り着けることもできる。
【００５２】
通常、このような取り着け方はしないが、一方側の支持対象物の荷重方向が異なる場合にも、本発明の支持取着具は、棒材に対して同じ軸方向位置で取り着け可能なものである。
【００５３】
また、この支持取着具１０のように、当接部３を真ん中に挟むように、上下の挟持部４で挟むように、また、上下の挟持部４の開口方向を棒材Ｂに対向する方向とする、棒材へのひねりで取着できるので、取り着けが為やすい。
【００５４】
加えて、このひねり取り着けの際、当接部３には、面取り部３ｂが設けられているので、二つ目の支持取着具１０の取り着けの際に、当接部３の角部分が取り着けの障害となることがない。
【実施形態２】
【００５５】
図５は、本発明の支持取着具の他例を示すもので、（ａ）はその上面図、（ｂ）はその正面図、（ｃ）はその側面図、（ｄ）はその裏面図、（ｅ）は（ａ）の挟持部拡大図である。
【００５６】
この支持取着具１０Ｂは、図１の支持取着具１０に比べ、取着部５Ａの挟持部４が上方しかなく、下方には挟持部４がなく、その分、当接部３Ａが長くなっている点が異なっている。この当接部３Ａは、上の挟持部４と協働して、支持部１に作用する支持対象物の荷重を負担するものである。
【００５７】
つまり、この支持取着具１０Ｂは、狭持部４に対して、支持部１に支持対象物を支持した際に、その支持対象物の重量が作用する側に、当接部３Ａを設けたものであり、このような構成であっても、図１の支持取着具１０と同様に棒材Ｂの軸方向の位置に、左右一対で同じものを位置決め固定することができる。
【００５８】
また、この支持取着具１０Ｂでは、当接部３Ａがより長いので、支持部１への支持対象物の荷重をより良く負担することができる。
【００５９】
この当接部３Ａの長さは、この例のように長くしなくともよく、図１の支持取着具１０と同じ程度の長さであってもよく、また、その際、上の挟持部４との間に、もともとの当接部３Ａの有った部分に挟持部用空間が出来るように離間させて設けるようにしてもよく、いずれの場合でも、支持部１への支持対象物の重量をしっかり受け止めることができる。
【実施形態３】
【００６０】
図６は、本発明の支持取着具の他例を示すもので、（ａ）はその上面図、（ｂ）はその正面図、（ｃ）はその側面図、（ｄ）はその裏面図、（ｅ）は（ａ）の挟持部拡大図である。
【００６１】
この支持取着具１０Ｃは、図１の支持取着具１０に比べ、取着部５Ｂの挟持部４Ａが上方しかないが、その長さが下方の挟持部４分をつなげた長さとなっており、当接部３は、その分、より下方に設けられている点が異なっている。
【００６２】
この支持取着部１０Ｃにおいても、当接部３は、上の挟持部４と協働して、支持部１に作用する支持対象物の荷重を負担するものである。
【００６３】
つまり、この支持取着具１０Ｃも、狭持部４に対して、支持部１に支持対象物を支持した際に、その支持対象物の重量が作用する側に、当接部３を設けたものであり、このような構成であっても、図１の支持取着具１０と同様に棒材Ｂの軸方向の位置に、左右一対で同じものを位置決め固定することができる。
【００６４】
加えて、挟持部４の長さが、図１の支持取着具１０と上下の挟持部４を加えた長さと同様な長さであるので、棒材Ｂを長い長さで抱き込み、しっかりと位置決め固定することができる。
【実施形態４】
【００６５】
図７は、本発明の支持取着具の他例を示すもので、（ａ）はその上面図、（ｂ）はその正面図、（ｃ）はその側面図、（ｄ）はその裏面図、（ｅ）は（ａ）の挟持部拡大図である。
【００６６】
この支持取着具１０Ｄは、図１の支持取着具１０に比べ、取着部５Ｃの挟持部４Ｂが当接部の位置、つまり、上下方向の真ん中に有り、その両側に挟持部４Ｂを挟むように当接部３Ｂが、設けられている点が異なっている。
【００６７】
この支持取着部１０Ｄにおいても、下の当接部３Ｂは、真ん中の挟持部４Ｂと協働して、支持部１に作用する支持対象物の荷重を負担するものである。
【００６８】
つまり、この支持取着具１０Ｄも、狭持部４に対して、支持部１に支持対象物を支持した際に、その支持対象物の重量が作用する側に、当接部３を設けたものであり、このような構成であっても、図１の支持取着具１０と同様に棒材Ｂの軸方向の位置に、左右一対で同じものを位置決め固定することができる。
【００６９】
加えて、当接部３Ｂは上下に離間した状態で棒材Ｂに接触し、中央の挟持部４Ｂと協働して、棒材Ｂを挟み込み、位置決め固定するので、棒材Ｂの軸方向と支持取着具１０Ｄとの取り着け方向をより良く一致させることができる。
【００７０】
なお、上述した実施形態１〜４は、いずれも、以下の点で共通している。
１）支持対象物を支持する支持部を有する支持具本体と、棒材に取着可能な取着部とを備えた支持取着具である。
【００７１】
２）前記取着部は、前記棒材に当接する当接部と、前記棒材に対して前記当接部と相反する方向から該当接部と共に棒材を挟持する挟持部とを備えている。
【００７２】
３）前記当接部と挟持部とは、取着される棒材の軸方向において異なる位置に配置されるように形成されている。
【００７３】
４）前記当接部は、棒材に取着した状態で、棒材と前記支持具本体との間に他の支持取着具の挟持部が入り込む空間を形成すべく前記支持具本体から突出して形成されている。
そして、このような構成により、この支持取着具は、同じものでありながら、棒材の軸方向の同じ位置に増設可能なものである。
【００７４】
なお、本発明の支持取着具の取着対象の棒材は、例示したボルト材に限定されず、異形棒鋼や、角棒鋼、丸棒鋼なども含まれるものである。また、支持対象物には、例示した配線・配管材に限定されず、それ以外の長尺材や、長尺でない物で懸架、保持、把持の必要な物も含まれるものである。
【産業上の利用可能性】
【００７５】
本発明の支持取着具は、同じものでありながら、棒材の軸方向の同じ位置に増設可能なことが要請される産業上の分野に用いることができる。
【図面の簡単な説明】
【００７６】
【図１】本発明の支持取着具の一例を示すもので、（ａ）はその上面図、（ｂ）はその正面図、（ｃ）はその側面図、（ｄ）はその裏面図、（ｅ）は（ａ）の挟持部拡大図、（ｆ）は（ｅ）のＡＡ矢視断面図
【図２】本発明の支持取着具の他例を示すもので、（ａ）はその上面図、（ｂ）はその正面図、（ｃ）はその側面図、（ｄ）はその裏面図、（ｅ）は（ａ）の挟持部拡大図
【図３】（ａ）〜（ｄ）は、図１の支持取着具の使用方法を順に示す斜視図、（ｅ）は（ｄ）のＢ矢視図、（ｆ）は（ｄ）の当接部横断面図
【図４】（ａ）、（ｂ）は、図１、２の支持取着具を組み合わせた使用方法を示す斜視図、（ｃ）は図１の支持取着具の他の使用方法を示す斜視図
【図５】本発明の支持取着具の他例を示すもので、（ａ）はその上面図、（ｂ）はその正面図、（ｃ）はその側面図、（ｄ）はその裏面図、（ｅ）は（ａ）の挟持部拡大図
【図６】本発明の支持取着具の他例を示すもので、（ａ）はその上面図、（ｂ）はその正面図、（ｃ）はその側面図、（ｄ）はその裏面図、（ｅ）は（ａ）の挟持部拡大図
【図７】本発明の支持取着具の他例を示すもので、（ａ）はその上面図、（ｂ）はその正面図、（ｃ）はその側面図、（ｄ）はその裏面図、（ｅ）は（ａ）の挟持部拡大図
【図８】（ａ）、（ｂ）は、本発明の支持取着具の背景技術を例示する斜視図
【符号の説明】
【００７７】
１、１Ａ    支持部
１ａ、１ｃ  支持受け部
１ｂ、１ｄ  支持フタ部
２          支持具本体
３〜３Ｂ    当接部
３ａ        弧状凹面
４〜４Ｂ    挟持部
４ａ        開口端
５〜５Ｃ    取着部
６          補助当接部
１０〜１０Ｄ  支持取着具
Ｂ          棒材
Ｄ          挟持部間の間隔
Ｈ          挟持部用空間
Ｗ          支持対象物
【図１】
0005102694.tif 000002
【図２】
0005102694.tif 000003
【図３】
0005102694.tif 000004
【図４】
0005102694.tif 000005
【図５】
0005102694.tif 000006
【図６】
0005102694.tif 000007
【図７】
0005102694.tif 000008
【図８】
0005102694.tif 000009